(57)【特許請求の範囲】
【請求項１】
対物光学系等を内蔵する先端部本体が電気絶縁ブロックを介して挿入部可撓管の先端に連結され、上記先端部本体の表面に配置された観察窓に流体を吹き付けるためのノズルが、上記先端部本体の表面に沿って上記電気絶縁ブロックから突出する状態に上記電気絶縁ブロックと一体に形成された側方視型内視鏡の先端部において、
上記ノズルの流体通過路の外周を全周にわたって密閉すると共に、上記先端部本体の上記ノズルに面する側の表面に凹部を形成して、その凹部に上記ノズルを嵌め込んで接着したことを特徴とする側方視型内視鏡の先端部。
【請求項２】
上記流体通過路の外周が、上記ノズルを形成する電気絶縁材のみによって囲まれている請求項１記載の側方視型内視鏡の先端部。
【請求項３】
上記流体通過路が、上記凹部に面する側が開放された形状に上記ノズルに形成された溝の開放面をシール部材によってシールして形成されている請求項１記載の側方視型内視鏡の先端部。
【発明の詳細な説明】
【０００１】
【発明の属する技術分野】
この発明は側方視型内視鏡の先端部に関する。
【０００２】
【従来の技術】
側方視型内視鏡の先端部において、対物光学系等が内蔵された先端部本体と挿入部可撓管との間を電気的に絶縁するために、先端部本体と挿入部可撓管とを電気絶縁ブロックを介して連結した構成をとるものがある。
【０００３】
図５はそのような従来の側方視型内視鏡の先端部を示しており、先端部本体１の表面に配置された観察窓５に流体を吹き付けるためのノズル１１が、先端部本体１の表面に沿って電気絶縁ブロック１０から突出する状態に電気絶縁ブロック１０と一体に形成されている。
【０００４】
そして、流体通過路１２として、先端部本体１の表面に面する側が開放された溝がノズル１１に形成されていて、ノズル１１と先端部本体１との当接面が水密に接着されている。
【０００５】
【発明が解決しようとする課題】
しかし、一般に上述のような先端部本体１とノズル１１との接着は経時変化等によって劣化し、剥離した状態になってしまうことは珍しいことではない。
【０００６】
すると、流体通過路１２を通過して観察窓５に吹き付けられるべき空気や水の一部が接着の剥離部分から漏れ出して、観察窓５の洗浄能力が低下してしまう場合がある。
【０００７】
そこで本発明は、先端部本体と挿入部可撓管とを連結する電気絶縁ブロックにノズルが一体に形成された側方視型内視鏡の先端部において、接着の経時変化等があってもノズル部分からの流体漏れが発生せず、観察窓洗浄能力が低下しない側方視型内視鏡の先端部を提供することを目的とする。
【０００８】
【課題を解決するための手段】
上記の目的を達成するため、本発明の側方視型内視鏡の先端部は、対物光学系等を内蔵する先端部本体が電気絶縁ブロックを介して挿入部可撓管の先端に連結され、先端部本体の表面に配置された観察窓に流体を吹き付けるためのノズルが、先端部本体の表面に沿って電気絶縁ブロックから突出する状態に電気絶縁ブロックと一体に形成された側方視型内視鏡の先端部において、ノズルの流体通過路の外周を全周にわたって密閉すると共に、先端部本体のノズルに面する側の表面に凹部を形成して、その凹部にノズルを嵌め込んで接着したものである。
【０００９】
なお、流体通過路の外周が、ノズルを形成する電気絶縁材のみによって囲まれていてもよく、或いは、流体通過路が、凹部に面する側が開放された形状にノズルに形成された溝の開放面をシール部材によってシールして形成されていてもよい。
【００１０】
【発明の実施の形態】
図面を参照して本発明の実施例を説明する。
図１は、本発明の第１の実施例の側方視型内視鏡の先端部の側面断面図、図２はその平面部分断面図である。ただし、図２においては外装部材が二点鎖線で示されている。
【００１１】
遠隔操作によって屈曲自在に挿入部可撓管２の先端部分に形成された湾曲部の先端に、電気絶縁性のプラスチック材からなる電気絶縁ブロック１０を介して、ステンレス鋼製の先端部本体１が連結されている。先端部本体１は、電気絶縁ブロック１０に対して接着されている。
【００１２】
それによって、先端部本体１が挿入部可撓管２側の金属部材に対して電気的に絶縁され、また、電気絶縁性のプラスチック材からなる先端キャップ４が先端部本体１を囲んで取り付けられていて、電気安全性が図られている。
【００１３】
先端部本体１の表面には照明窓６と観察窓５とが前後に並んで配置されて、各々にカバーレンズが水密に取り付けられている。また、その側方に並んで先端部本体１に形成された処置具突出口１６内には、遠隔操作によって動作する処置具起上片１７が配置されている。
【００１４】
観察窓５の内側には対物光学系７が配置され、その対物光学系７による被写体の結像位置に固体撮像素子８が配置されている。なお、対物光学系７と固体撮像素子８とはユニットとして先端部本体１内に組み込まれている。
【００１５】
電気絶縁ブロック１０には、観察窓５に流体を吹き付けるためのノズル１１が電気絶縁ブロック１０と一体に形成されて、先端部本体１の表面に沿って電気絶縁ブロック１０から前方に突出する状態に配置されている。
【００１６】
また、挿入部可撓管２内に挿通配置された送気管１３と送水管１４の先端が、電気絶縁ブロック１０に後方から接続されている。そして、観察窓５の表面に向けて開口するようにノズル１１に形成された流体通過路１２と送気・送水管１３，１４とが、電気絶縁ブロック１０に形成された連通孔１５を介して連通している。
【００１７】
この実施例においては、流体通過路１２がノズル１１に孔状に形成されており、流体通過路１２の外周は、ノズル１１を形成する電気絶縁材によって全周が囲まれて密閉された状態になっている。
【００１８】
また、先端部本体１のノズル１１に面する位置の表面部分には、平面状に凹んだ凹部１ａが形成されていて、ノズル１１はその凹部１ａにピッタリと嵌め込まれた状態でその凹部１ａに接着されている。その結果、流体通過路１２の出口開口１２ａが、先端部本体１の表面に対して段差のない状態になっている。
【００１９】
なお、この実施例においては、先端部本体１の単体の平面図である図３に示されるように、凹部１ａは先端部本体１の後端まで形成されており、ノズル１１以外の電気絶縁ブロック１０の一部分もそこに嵌め込まれるようになっている。
【００２０】
このように構成された実施例の側方視型内視鏡の先端部においては、ノズル１１に形成された流体通過路１２から噴出された空気又は水が先端部本体１の表面に沿って観察窓５に吹き付けられ、経時変化等によってノズル１１と凹部１ａとの接着が劣化しても、外周が全周にわたって囲まれた形状の流体通過路１２の途中からは空気や水が漏れ出さない。
【００２１】
図４は、本発明の第２の実施例の側方視型内視鏡の先端部を示しており、流体通過路１２を、先端部本体１の凹部１ａに面する側が開放された形状にノズル１１に形成された溝の開放面に、例えば合成ゴム等よりなる弾力性のあるシール部材２０をきつく嵌め込んで接合することにより、外周が全周にわたって密閉された状態に形成したものである。
【００２２】
このように構成しても、第１の実施例と同様の作用効果を得ることができる。なお、シール部材２０の表面が先端部本体１の表面とほぼ同面になるように、シール部材２０の厚みは先端部本体１表面からの凹部１ａの深さとほぼ同寸法に形成されている。
【００２３】
【発明の効果】
本発明によれば、先端部本体を挿入部可撓管と連結する電気絶縁ブロックに一体に形成されたノズルの流体通過路の外周を全周にわたって密閉すると共に、先端部本体のノズルに面する側の表面に凹部を形成して、その凹部にノズルを嵌め込んで接着したことにより、接着の経時変化等があっても、ノズル部分からの流体漏れが発生せず、観察窓洗浄能力が低下しない。
【図面の簡単な説明】
【図１】本発明の第１の実施例の側方視型内視鏡の先端部の側面断面図である。
【図２】本発明の第１の実施例の側方視型内視鏡の先端部の一部を断面で示す平面図である。
【図３】本発明の第１の実施例の先端部本体の平面図である。
【図４】本発明の第２の実施例の側方視型内視鏡の先端部の側面断面図である。
【図５】従来の側方視型内視鏡の先端部の側面断面図である。
【符号の説明】
１  先端部本体
１ａ  凹部
２  挿入部可撓管
５  観察窓
１０  電気絶縁ブロック
１１  ノズル
１２  流体通過路
２０  シール部材
【図１】
0004531248.tif 000002
【図２】
0004531248.tif 000003
【図３】
0004531248.tif 000004
【図４】
0004531248.tif 000005
【図５】
0004531248.tif 000006